(57)【要約】それぞれ通話の異なる圧縮によって特徴付けられる複数の伝送モードの間の切り換えが可能であるエアーインターフェース（４）を介する移動無線加入者の通話へのトーン及びアナウンスメントの効果的な適合は、移動無線ネットワーク（４、３、５）の加入者（２）に対して設けられた移動無線ネットワーク（４、３、５）のエアーインターフェース（４）の音声チャネルへの音響シーケンス（１１；１２；１３；１４；１５；１６；１７；１８）の適合のための装置及び方法によって可能であり、伝送すべき加入者（２）の音声シーケンス（８）の異なる度合いの圧縮によってエアーインターフェースにおいて定義される複数の伝送モードから、音声チャネルにおいて使用すべき伝送モード（Ａ；Ｂ；Ｃ：）が選択可能であり、適合可能な音響シーケンスは複数の圧縮データセット（１１、１２、１３、１４、１５、１６、１７、１８）の形で格納されており、該複数の圧縮データセット（１１、１２、１３、１４、１５、１６、１７、１８）の圧縮はそれぞれ前記伝送モード（Ａ；Ｂ；Ｃ：）のうちの少なくとも１つの伝送モードの圧縮に相応し、エアーインターフェース（４）の音声チャネルへの音響シーケンス（１１；１２；１３；１４；１５；１６；１７；１８）の適合のために、複数の圧縮データセット（１１；１２；１３；１４；１５；１６；１７；１８）うちの１つの圧縮データセット（１１）が選択され音声チャネルに挿入され、この圧縮データセット（１１）の圧縮（Ａ）が選択され、音声チャネルに挿入され、この圧縮データセット（１１）の圧縮（Ａ）は瞬時に音声チャネルにおいて使用されている圧縮（Ａ）に相応する。
2005504486.tif 000002
【特許請求の範囲】
【請求項１】
移動無線ネットワーク（４、３、５）の加入者（２）のために設けられた移動無線ネットワーク（４、３、５）のエアーインターフェース（４）の音声チャネルへの音響シーケンス（１１；１２；１３；１４；１５；１６；１７；１８）の適合のための方法において、
前記加入者（２）の伝送すべき音声シークエンス（８）の異なった度合いの圧縮によって前記エアーインターフェースにおいて定義された複数の伝送モードから、前記音声チャネルにおいて使用すべき伝送モード（Ａ；Ｂ；Ｃ；．．．）が選択可能（３、５）であり、
適合可能な音響シーケンスは複数の圧縮データセット（１１、１２、１３、１４、１５、１６、１７、１８）の形で格納されており、これらの複数の圧縮データセット（１１、１２、１３、１４、１５、１６、１７、１８）の圧縮はそれぞれ前記伝送モード（Ａ；Ｂ；Ｃ；．．．）うちの少なくとも１つの伝送モードの圧縮に相応し、
前記エアーインターフェース（４）の前記音声チャネルへの前記音響シーケンス（１１；１２；１３；１４；１５；１６；１７；１８）の適合のために、瞬時に前記音声チャネルにおいて使用される圧縮（Ａ）に相応する圧縮を有する圧縮データセット（１１）が複数の格納された前記圧縮データセット（１１；１２；１３；１４；１５；１６；１７；１８）の中から選択され、前記音声チャネルに挿入される、移動無線ネットワーク（４、３、５）の加入者（２）のために設けられた移動無線ネットワーク（４、３、５）のエアーインターフェース（４）の音声チャネルへの音響シーケンス（１１；１２；１３；１４；１５；１６；１７；１８）の適合のための方法。
【請求項２】
音声チャネル（４）に対して、ぞれぞれ使用可能な複数の伝送モード（Ａ；Ｂ；Ｃ；．．．）が予め選択され、該複数の伝送モード（Ａ；Ｂ；Ｃ；．．．）から、移動無線ネットワーク（６）又は固定ネットワークの他の加入者（７）と移動無線ネットワーク（４、３、５）の加入者（２）との通信の間に、それぞれ瞬時に使用される伝送モード（Ａ）が選択可能であることを特徴とする、請求項１記載の方法。
【請求項３】
移動無線ネットワーク（４、３、５）の基地局制御部又はＲＮＣ（３）は、加入者（２）に対する音声コネクション（４）の形成の前に、前記音声コネクションの間に選択可能な複数の伝送モード（Ａ；Ｂ；Ｃ）を、前記移動無線ネットワーク（４、３、５）の線路又はパケットベースの交換局（５）と交渉により取り決めることを特徴とする、請求項１又は２記載の方法。
【請求項４】
移動無線ネットワーク（４、３、５）の交換局（５）においてエアーインターフェース（４）の音声チャネルを介して加入者（２）に送信すべき音声シーケンス（８；１１-１８）が前記エアーインターフェースを介する伝送の前に瞬時に選択される伝送モード（Ａ）に変換符号化されることを特徴とする、請求項１〜３のうちの１項記載の方法。
【請求項５】
瞬時に選択される伝送モード（Ａ）は、瞬時に使用されている伝送モード又は許可された伝送モードのセットのうちの最大伝送レートを有する伝送モードであることを特徴とする、請求項１〜４のうちの１項記載の方法。
【請求項６】
適合可能な音響シーケンスは全ての選択可能な伝送モード（１１、１２、１３、１４、１５、１６、１７、１８）の形で格納されていることを特徴とする、請求項１〜５のうちの１項記載の方法。
【請求項７】
加入者（２）の音声シーケンスは遠隔通信ネットワーク（６）の別の加入者（７）と前記加入者（２）との通話を表していることを特徴とする、請求項１〜６のうちの１項記載の方法。
【請求項８】
音響シーケンス（１１；１２；１３；１４；１５；１６；１７；１８）はアナウンスメントを含むことを特徴とする、請求項１〜７のうちの１項記載の方法。
【請求項９】
音響シーケンス（１１；１２；１３；１４；１５；１６；１７；１８）はトーンを含むことを特徴とする、請求項１〜８のうちの１項記載の方法。
【請求項１０】
圧縮データセット（１１、１２、１３、１４、１５、１６、１７、１８）は、それぞれ同じ長さの音響シーケンスを表しているが、この音響シーケンスの異なる度合いの圧縮（Ａ；Ｂ；Ｃ；．．．）に基づいて、異なるビット長を有することを特徴とする、請求項１〜９のうちの１項記載の方法。
【請求項１１】
圧縮データセット（１１、１２、１３、１４、１５、１６、１７、１８）は移動無線ネットワークの交換局（５）に格納されており、前記交換局（５）を介して加入者（２）の音声シーケンス（８）が伝送されることを特徴とする、請求項１〜１０のうちの１項記載の方法。
【請求項１２】
伝送モード（１１、１２、１３、１４、１５、１６、１７、１８）はそれぞれコーデックのモード（Ａ；Ｂ；Ｃ；．．．）であり、とりわけコーデックのＡＭＲモードであることを特徴とする、請求項１〜１１のうちの１項記載の方法。
【請求項１３】
請求項１〜１２のうちの１項記載の方法を実施するための装置。
【請求項１４】
移動無線ネットワーク（４、３、５）の加入者（２）のために使用可能な前記移動無線ネットワーク（４、３、５）のエアーインターフェース（４）の音声チャネルへの音響シーケンス（１１；１２；１３；１４；１５；１６；１７；１８）の適合のための請求項１３記載の装置において、
前記エアーインターフェース（４）の音声チャネルにおいて使用すべき伝送モード（Ａ）を、前記加入者（２）の伝送すべき音声シーケンス（８）及び前記音響シーケンスの異なった度合いの圧縮によって前記エアーインターフェースにおいて定義された複数の伝送モード（Ａ；Ｂ；Ｃ；．．．）から選択するための装置（５）を有し、
それぞれ同一の適合可能な音響シーケンスを表す複数の圧縮データセット（１１、１２、１３、１４、１５、１６、１７、１８）のためのメモリ（１０）を有し、前記圧縮データセット（１１、１２、１３、１４、１５、１６、１７、１８）の圧縮はそれぞれ移動無線ネットワークの前記エアーインターフェース（４）の前記伝送モード（Ａ；Ｂ；Ｃ；．．．）のうちの少なくとも１つの伝送モードの圧縮に相応し、
前記圧縮データ（１１；１２；１３；１４；１５；１６；１７；１８）の格納された（１０）選択からの１つの圧縮データセット（１１）の形式で前記エアーインターフェース（４）の音声チャネルに音響シーケンス（１１）を適合させるための装置（５）を有し、前記圧縮データセット（１１）の圧縮（Ａ）は瞬時に前記音響チャネルにおいて使用されている圧縮（Ａ）に相応する、請求項１３記載の装置。
【請求項１５】
請求項１〜１２のうちの１項記載の方法を実施するためのデータ担体。
【発明の詳細な説明】
【技術分野】
【０００１】
本発明は移動無線ネットワークの加入者のために設けられた移動無線ネットワークのエアーインターフェースの音声チャネルへの音響シーケンスの適合のための装置及び方法に関する。
【０００２】
移動無線ネットワークのエアーインターフェースの音声チャネルを介して加入者の通話が（例えばＵＭＴＳにおけるＡＭＲコーデックを用いて）圧縮されて伝送される。ＡＭＲコーデックは、例えば２０ｍｓｅｃ長の音声サンプルを８個のモードでビットレートＡＭＲモード７＝１２．２ｋｂｐｓ、ＡＭＲモード６＝１０．２ｋｂｐｓ、ＡＭＲモード５＝７．９５ｋｂｐｓ、ＡＭＲモード４＝７．４０ｋｂｐｓ、ＡＭＲモード３＝６．７０ｋｂｐｓ、ＡＭＲモード２＝５．９０ｋｂｐｓ、ＡＭＲモード１＝５．１５ｋｂｐｓ又はＡＭＲモード０＝４．７５ｋｂｐｓに圧縮するアルゴリズムを含んでいる。
【０００３】
移動無線ネットワークのＲＮＣ（Radionetworkcontroller又は基地局/基地局制御部）は（例えばＵＭＴＳの）音声コネクションの形成の前にＡＭＲモードのセットを交換局と交渉して取り決める。この交換局を介して音声コネクションが実行される。コネクション形成の間に又はコネクションの存在している間に、ＲＮＣは交渉により取り決められたＡＭＲモードの破棄によって瞬時のＡＭＲモードの切り換えを要求することができる。従って、ＡＭＲモードのこのような切り換えはトーン及びアナウンスメントのような音響シーケンスの適合の間にも交換局において行われうる。
【０００４】
本発明の課題は、エアーインターフェースを介する移動無線加入者の通話への音響シーケンスの効果的な適合を可能にすることである。このエアーインターフェースにおいては通話の異なる圧縮によってそれぞれ特徴付けられる複数の伝送モードの間で切り換えが行われうる。上記課題はそれぞれ独立請求項の構成によって解決される。
【０００５】
本発明によれば、迅速に、簡単にかつ効果的にトーン及びアナウンスメントが通話の間に許可された伝送モードの切り換えにおいて適合されうる。適合の前の変換符号化はこのためには必要ない。
【０００６】
本発明のとりわけ有利な実施形態は従属請求項から得られる。
【０００７】
有利には適合可能な音響シーケンスは全ての選択可能な伝送モードの形で格納されており、この結果、全ての可能な伝送モードにおいて音響シーケンスの適合が本発明によれば容易になる。
【０００８】
圧縮データセットは有利には移動無線ネットワークの交換局に格納され、この交換局を介して加入者の音声シーケンスが伝送され、交換局からこれらの圧縮データセットにはアクセス可能である。
【０００９】
本発明の更なる特徴及び利点は更なる請求項及び図面に基づく実施例の以下の記述から得られる。
【００１０】
図１は概略的に移動無線ネットワークの加入者のために設けられた移動無線ネットワークのエアーインターフェースの音声チャネルを介する音声の伝送を示し、
図２は概略的に移動無線加入者の音声コネクションへの音響シーケンス（アナウンスメント、トーンなど）の挿入を示す。
【００１１】
図１は移動局を有する加入者２、ノードＢ（基地局）、ＲＮＣ２０、エアーインターフェース４、第１の交換局５、更に別の交換局６、更に別のノードＢ及び更に別のＲＮＣ、更に別の加入者７、加入者２の圧縮されていない音声シーケンス８、加入者２の圧縮された音声シーケンス９、（同一の音声内容又はトーンだが、音声内容又はトーンの異なる圧縮において）データセットとして格納された（少なくとも１つの）音響シーケンス１１〜１８（これらの音響シーケンス１１〜１８のうちの１つがエアーインターフェース４を介して加入者２に送信されるべきである）を有するメモリ１０を示す。
【００１２】
図２は１つ又は複数の遠隔通信ネットワークの二人の加入者２、７に対して移動無線ネットワークのエアーインターフェースの音声チャネルを介して圧縮されて伝送される適合のためのトーン又はアナウンスメントの複数の時間区間（シーケンス「１」、「ｎ−１」「ラスト」）を示す。シーケンス１は、（第１の伝送モードで使用される）第１の圧縮においてデータセットＡ１（＝図１の参照符号１１）として、（第２の伝送モードで使用される）第２の圧縮においてデータセットＢ１（＝図１の参照符号１３）として、（第３の伝送モードで使用される）第３の圧縮においてデータセットＣ１（＝図１の参照符号１８）として図示されている。時間軸はそれぞれ矢印として示されている。データセットＡ１はシーケンス１よりも短い。なぜなら、Ａ１はシーケンス１の内容の（公知の圧縮方法、例えばＡＭＲによる）圧縮だからである。Ｂ１はシーケンス１より短く、さらにＡ１よりも短い。なぜなら、Ｂ１はＡ１よりもシーケンス１の内容のより強い圧縮だからである。Ｃ１はシーケンス１よりも短く、Ａ１より短く、さらにＢ１よりも短い。なぜなら、Ｃ１はＡ１及びＢ１よりもシーケンス１の内容のより強い圧縮だからである。比較的強い圧縮は例えば伝送チャネルの比較的高い品質において及び/又は比較的低い品質要求において使用されうる。
【００１３】
交換局（線路又はパケット交換局；ＭＳＣ又はメディアゲートウェイなど）では、加入者の例えば８ｋＨｚでサンプリングされた線形化された信号又は６４ｋｂｐｓ Ａ-ｌａｗ符号化された信号から２０ｍｓｅｃ長の音声サンプル１（通話の時間区間）がちょうど瞬時に有効な伝送モード（ＡＲＭモードなど）Ａ又はＢ又はＣに変換（＝変換符号化）される。
【００１４】
音声チャネルの形成の際にはＲＮＣと交換局との間で加入者の音声信号１、８の伝送のために使用される（１つ又は複数の）伝送モードＡ、Ｂ、Ｃが予め選択され（交渉して取り決められ）、これらの伝送モードＡ、Ｂ、Ｃから加入者の通信の間にそれぞれ瞬時に（＝例えば今又は定義可能な時点に）使用される伝送モードＡ又はＢ又はＣが選択されうる。
【００１５】
例えば８個の伝送モード（ＡＲＭモードなど）が可能であり、これら８個の伝送モードから（図２によれば「ＡＲＭモード７、５、０」に相応する）３個の伝送モードＡ、Ｂ、Ｃが予め選択される（交渉して取り決められる）。瞬時に例えば伝送モードＡを使用する通話への音響シーケンスの適合の際にはアナウンスメントが同じ伝送モードＡで適合され、すなわち例えばこの場合パケットＡ１は加入者の通話の中の１つの時間区間の代わりに伝送モードＡで圧縮されたアナウンスメントを含む。この（少なくとも１つの）アナウンスメントは全ての可能な（例えば８個の）伝送モードで圧縮されて格納されて存在するので、適合のためには瞬時に音声チャネルで使用される圧縮（例えばＡＭＲモード１に相応するＡ）に相応する圧縮を有するアナウンスメントだけを（１１〜１８の中から）選択しさえすればよい。
【００１６】
例：
トーン及びアナウンスメントは例えば８個の圧縮データセット（サンプル１１〜１８）として全ての８個のＡＭＲモードで変換符号化されて図１のメモリ１０に存在する。こうして生じたサンプルは例えばそれぞれ２０ｍｓｅｃ長であり（アナウンスメントは同一の又は異なる圧縮の複数の連続するサンプル１１を含んでいてもよい）、さらに中央で交換局に格納されている。トーン及びアナウンスメント毎のサンプルの個数は常に同じであり、ただ２０ｍｓｅｃサンプルあたりのバイトサイズによってのみ異なっている。ＲＮＣは例えば以下のＡＭＲモードから成るモードセットを交換局５と交渉して取り決めた：
モードＡ＝２０ｍｓｅｃ音声サンプルあたり（ビットスタッフィングを含めて）２４４ビット乃至は３１バイトを有する１２．２０ｋｂｐｓ、
モードＢ＝２０ｍｓｅｃ音声サンプルあたり（ビットスタッフィングを含めて）１５９ビット乃至は２０バイトを有する７．９５ｋｂｐｓ、
モードＣ＝２０ｍｓｅｃ音声サンプルあたり（ビットスタッフィングを含めて）９５ビット乃至は１２バイトを有する４．７５ｋｂｐｓ。
【００１７】
トーン又はアナウンスメントが適合される場合には、まず最初に瞬時に有効なＡＭＲモードがもとめられ、番号１１を有する所属のサンプルが選択され、例えばモードＡで送信される。その後で、番号２を有する次のサンプル等々がそれぞれ同じモードＡで送信される。サンプルＮ−１がモードＡで送信された後で、モードの切り換えを行うためにＲＮＣによって既存のモードセットからこの瞬時に有効なモードＡ及びモードＢが削除される。この結果、次のサンプルＮの送信のために次の可能なモードＣに切り換えられなければならない。従って、このトーン又はこのアナウンスメントのための（新たに使用されるモードＣに変換符号化された）サンプルの相応の順番から番号ｎ−１を有するサンプルが送信される。
【００１８】
この方法では送信すべきサンプルの管理だけが必要であり、オリジナル信号からの絶えざる変換符号化は必要ではないので、最小限のコストでＡＭＲモードの切り換えに交換局で反応することができる。この方法はとりわけ常に同一の長さの音声サンプルだけが変換符号化される他のコーデックタイプにも適用可能である。
【図面の簡単な説明】
【００１９】
【図１】概略的に移動無線ネットワークの加入者のために設けられた移動無線ネットワークのエアーインターフェースの音声チャネルを介する音声の伝送を示す。
【００２０】
【図２】概略的に移動無線加入者の音声コネクションへの音響シーケンス（アナウンスメント、トーンなど）の挿入を示す。
【符号の説明】
【００２１】
２  加入者
３  ＲＮＣ
４  エアーインターフェース
５  第１の交換局
６  更に別の交換局
７  更に別の加入者
８  圧縮されていない音声シーケンス
９  圧縮された音声シーケンス
１０  メモリ
１１〜１８  音響シーケンス
Ａ，Ｂ，Ｃ．．．  伝送モード
【図１】
2005504486.tif 000003
【図２】
2005504486.tif 000004
【国際公開パンフレット】
2005504486.tif 000005
2005504486.tif 000006
2005504486.tif 000007
2005504486.tif 000008
2005504486.tif 000009
2005504486.tif 000010
2005504486.tif 000011
2005504486.tif 000012
2005504486.tif 000013
2005504486.tif 000014
2005504486.tif 000015
2005504486.tif 000016
2005504486.tif 000017
【国際調査報告】
2005504486.tif 000018
2005504486.tif 000019
2005504486.tif 000020
2005504486.tif 000021